【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
ユーザ機器(UE)におけるワイヤレス通信のための方法であって、
論理トラフィック接続に関連する構成を、第1の無線アクセス技術(RAT)を使用する第1のアクセスポイントから受信するステップであって、前記構成が、第2のRATに関連する第2のアクセスポイントを経由して前記論理トラフィック接続に関連するデータを通信するための、少なくとも1つのパラメータを備える、ステップと、
前記第1のアクセスポイントからのアップリンク許可の受信予想時間において終了する時間期間に対して、前記第2のアクセスポイントを経由して送信されると予想される、前記論理トラフィック接続に関連するパケットデータコンバージェンスプロトコル(PDCP)キューの中でバッファリングされたデータの総量のうちのサブセットを推定するステップであって、前記データの総量のうちの前記サブセットが、前記第2のRATを使用する前記第2のアクセスポイントと通信することに関連する最小データサイズ、前記第2のRATを使用する前記第2のアクセスポイントと通信することに関連する最大データサイズ、前記第1のアクセスポイントによるアップリンク送信スケジューリングの履歴、またはそれらの組合せに少なくとも部分的に基づいて推定される、ステップと、
前記データの総量のうちの前記サブセットおよび前記少なくとも1つのパラメータに少なくとも部分的に基づいて、前記論理トラフィック接続に関連するバッファ報告値を決定するステップと、
前記バッファ報告値を含むバッファステータス報告(BSR)を前記第1のアクセスポイントへ送信するステップと
を備える、方法。
【請求項２】
前記データの総量のうちの前記サブセットが、前記第2のRATを使用する前記第2のアクセスポイントと通信することに関連する推定データレートに少なくとも部分的に基づいてさらに推定される、請求項1に記載の方法。
【請求項３】
前記少なくとも1つのパラメータが、前記第2のアクセスポイントを経由して送信されるべきデータと前記論理トラフィック接続に関連する前記PDCPキューの中でバッファリングされた前記データの総量との比率、前記第2のアクセスポイントを経由して前記論理トラフィック接続に関連する前記データを通信するための最大データ制限、前記第2のアクセスポイントを経由して前記論理トラフィック接続に関連する前記データを通信するための最小データしきい値、前記第2のアクセスポイントのネットワーク識別子、または前記第2のアクセスポイントを経由して前記論理トラフィック接続に関連するデータを通信するためのトークンのセットのうちの少なくとも1つを備える、請求項1に記載の方法。
【請求項４】
前記第1のRATを使用する前記第1のアクセスポイントへ送信するためのアップリンク許可を受信するステップであって、前記アップリンク許可が、前記バッファ報告値に少なくとも部分的に基づく、ステップと、
前記受信されたアップリンク許可に従って、前記データの総量のうちの第1のサブセットを、前記第1のRATを使用する前記第1のアクセスポイントへ送信するステップと、
前記データの総量のうちの第2のサブセットを、前記第2のRATに関連する媒体アクセス制御(MAC)キューにプッシュするステップと
をさらに備える、請求項1に記載の方法。
【請求項５】
前記データの総量のうちの前記第2のサブセットを前記PDCPキューの中に保持するステップと、
前記データの総量のうちの前記第2のサブセットに少なくとも部分的に基づいて、かつ前記データの総量のうちの前記第2のサブセットに対する送信エラーの表示を前記第2のRATを使用して受信することに少なくとも部分的に基づいて、第2のバッファ報告値を決定するステップと
をさらに備え、
前記データの総量のうちの前記第1のサブセット、前記データの総量のうちの前記第2のサブセット、前記第2のRATに関連する前記MACキューに対するキューステータスの表示、前記BSRの前記送信以来の前記PDCPキューの中の追加データの量、前記少なくとも1つのパラメータ、またはそれらの組合せに少なくとも部分的に基づいて、第2のバッファ報告値を決定するステップと、
前記第2のバッファ報告値を含む第2のBSRを前記第1のアクセスポイントへ送信するステップと
をさらに備える、請求項4に記載の方法。
【請求項６】
前記第2のRATを使用する前記第2のアクセスポイントとの通信用のパラメータがしきい値を満たさないことを決定するステップと、
前記第2のRATを使用する前記第2のアクセスポイントとの通信用の前記パラメータが前記しきい値を満たさないという前記決定に少なくとも部分的に基づいて、第2のバッファ報告値を決定するステップと
をさらに備え、
前記第2のRATを使用する前記第2のアクセスポイントとの通信用の前記パラメータが、前記第2のRATを使用して送信すべき時間、または前記第2のRATに関連するチャネルメトリックのうちの少なくとも1つを備える、請求項1に記載の方法。
【請求項７】
前記第1のRATがワイヤレスワイドエリアネットワーク(WWAN)技術を備え、前記第2のRATがワイヤレスローカルエリアネットワーク(WLAN)技術を備える、または、
前記第1のRATが第1のワイヤレスワイドエリアネットワーク(WWAN)技術を備え、前記第2のRATが第2のWWAN技術を備える、請求項1に記載の方法。
【請求項８】
ユーザ機器(UE)におけるワイヤレス通信のための装置であって、
論理トラフィック接続に関連する構成を、第1の無線アクセス技術(RAT)を使用する第1のアクセスポイントから受信するための手段であって、前記構成が、第2のRATに関連する第2のアクセスポイントを経由して前記論理トラフィック接続に関連するデータを通信するための、少なくとも1つのパラメータを備える、手段と、
前記第1のアクセスポイントからのアップリンク許可の受信予想時間において終了する時間期間に対して、前記第2のアクセスポイントを経由して送信されると予想される、前記論理トラフィック接続に関連するパケットデータコンバージェンスプロトコル(PDCP)キューの中でバッファリングされたデータの総量のうちのサブセットを推定するための手段であって、前記データの総量のうちの前記サブセットが、前記第2のRATを使用する前記第2のアクセスポイントと通信することに関連する最小データサイズ、前記第2のRATを使用する前記第2のアクセスポイントと通信することに関連する最大データサイズ、前記第1のアクセスポイントによるアップリンク送信スケジューリングの履歴、またはそれらの組合せに少なくとも部分的に基づいて推定される、手段と、
前記データの総量のうちの前記サブセットおよび前記少なくとも1つのパラメータに少なくとも部分的に基づいて、前記論理トラフィック接続に関連するバッファ報告値を決定するための手段と、
前記バッファ報告値を含むバッファステータス報告(BSR)を前記第1のアクセスポイントへ送信するための手段と
を備える、装置。
【請求項９】
前記データの総量のうちの前記サブセットが、前記第2のRATを使用する前記第2のアクセスポイントと通信することに関連する推定データレートに少なくとも部分的に基づいてさらに推定される、請求項8に記載の装置。
【請求項１０】
前記少なくとも1つのパラメータが、前記第2のアクセスポイントを経由して送信されるべきデータと前記論理トラフィック接続に関連する前記PDCPキューの中でバッファリングされた前記データの総量との比率、前記第2のアクセスポイントを経由して前記論理トラフィック接続に関連する前記データを通信するための最大データ制限、前記第2のアクセスポイントを経由して前記論理トラフィック接続に関連する前記データを通信するための最小データしきい値、前記第2のアクセスポイントのネットワーク識別子、または前記第2のアクセスポイントを経由して前記論理トラフィック接続に関連するデータを通信するためのトークンのセットのうちの少なくとも1つを備える、請求項8に記載の装置。
【請求項１１】
前記第1のRATを使用する前記第1のアクセスポイントへ送信するためのアップリンク許可を受信するための手段であって、前記アップリンク許可が、前記バッファ報告値に少なくとも部分的に基づく、手段と、
前記受信されたアップリンク許可に従って、前記データの総量のうちの第1のサブセットを、前記第1のRATを使用する前記第1のアクセスポイントへ送信するための手段と、
前記データの総量のうちの第2のサブセットを、前記第2のRATに関連する媒体アクセス制御(MAC)キューにプッシュするための手段と
をさらに備える、請求項8に記載の装置。
【請求項１２】
前記データの総量のうちの前記第2のサブセットを前記PDCPキューの中に保持するための手段と、
前記データの総量のうちの前記第2のサブセットに少なくとも部分的に基づいて、かつ前記データの総量のうちの前記第2のサブセットに対する送信エラーの表示を前記第2のRATを使用して受信することに少なくとも部分的に基づいて、第2のバッファ報告値を決定するための手段と
をさらに備え、
前記データの総量のうちの前記第1のサブセット、前記データの総量のうちの前記第2のサブセット、前記第2のRATに関連する前記MACキューに対するキューステータスの表示、前記BSRの前記送信以来の前記PDCPキューの中の追加データの量、前記少なくとも1つのパラメータ、またはそれらの組合せに少なくとも部分的に基づいて、第2のバッファ報告値を決定するための手段と、
前記第2のバッファ報告値を含む第2のBSRを前記第1のアクセスポイントへ送信するための手段と
をさらに備える、請求項11に記載の装置。
【請求項１３】
前記第2のRATを使用する前記第2のアクセスポイントとの通信用のパラメータがしきい値を満たさないことを決定するための手段と、
前記第2のRATを使用する前記第2のアクセスポイントとの通信用の前記パラメータが前記しきい値を満たさないという前記決定に少なくとも部分的に基づいて、第2のバッファ報告値を決定するための手段と
をさらに備え、
前記第2のRATを使用する前記第2のアクセスポイントとの通信用の前記パラメータが、前記第2のRATを使用して送信すべき時間、または前記第2のRATに関連するチャネルメトリックのうちの少なくとも1つを備える、請求項8に記載の装置。
【請求項１４】
前記第1のRATがワイヤレスワイドエリアネットワーク(WWAN)技術を備え、前記第2のRATがワイヤレスローカルエリアネットワーク(WLAN)技術を備える、または、
前記第1のRATが第1のセルラー技術を備え、前記第2のRATが第2のセルラー技術を備える、請求項8に記載の装置。
【請求項１５】
請求項1から7のいずれか一項に記載の方法を行う命令を含む、コンピュータプログラム。